(57)【要約】【課題】従来の結露防止シートよりも採光性を高めることができる結露防止シートを提供する。【解決手段】窓ガラスに貼着される結露防止シート１０は、粘着層１７を有して窓ガラスに貼り付け可能なガラス側透光性シート１２と、このガラス側透光性シート１２の粘着層１７とは反対側の面に設けられた編組ネット１３と、この編組ネット１３に重ねられてガラス側透光性シート１２との間に編組ネット１３の網目毎に断熱空間１６を形成する室内側透光性シート１１とを備えている。【選択図】図１
2012026146.tif 000002
【特許請求の範囲】
【請求項１】
窓ガラスに貼着される結露防止シートであって、粘着層を有して前記窓ガラスに貼り付け可能なガラス側透光性シートと、このガラス側透光性シートの前記粘着層とは反対側の面に設けられた編組ネットと、この編組ネットに重ねられて前記ガラス側透光性シートとの間に前記編組ネットの網目毎に断熱空間を形成する室内側透光性シートとを備える結露防止シート。
【請求項２】
窓ガラスに貼着される結露防止シートであって、粘着層を有して前記窓ガラスに貼り付け可能な編組ネットと、この編組ネットに重ねられて前記窓ガラスとの間に前記編組ネットの網目毎に断熱空間を形成する室内側透光性シートとを備える結露防止シート。
【請求項３】
前記編組ネットは所定間隔を隔てて横方向に並ぶ縦糸および所定間隔を隔てて縦方向に並ぶ横糸を縦横に組み合わせて矩形の網目を構成する格子状ネットであり、前記横糸が複数の糸を組み合わせてなる紐状であり、前記縦糸が複数本の糸が非組み合わせ状態のまま前記編組ネットが構成されていることを特徴とする請求項１又は請求項２に記載の結露防止シート。
【発明の詳細な説明】
【技術分野】
【０００１】
本発明は、窓ガラス等の結露を防止するための結露防止シートに関する。
【背景技術】
【０００２】
従来、冬季に建物の外気温と室内温度との差により発生する窓ガラスの結露を防止するための様々な工夫がなされている。その中でも、簡単かつ安価に施工可能な方法のひとつとして、窓ガラスに貼り付ける結露防止シートが提案されている。このものは、窓ガラスと室内との間に断熱空間を設けることにより、部屋の内外の温度差に起因する窓ガラスへの結露を防止しようとするものである。
【０００３】
例えば特開平１１−３４８１６９号では、２枚のシートの間に、断面矩形波状の円筒状突起を所定の間隔をもって形成したスペーサシートを挟むことにより多数の断熱空間を形成した結露防止シートが示されている。
【０００４】
あるいは、例えば特開２００９−１４４３７６号公報では、多数の貫通孔を有する樹脂板の一方の面をカバーシートで覆って貫通孔を断熱空間とした構成が開示されている。
また、特開２０００−１５４６００号公報では、多数の円形凹部を形成した第1シートに平坦な第２シートを重ねて円形凹部内に空気を封入した断熱空間を形成した空気封入シートを利用した結露防止シートが提案されている。
【先行技術文献】
【特許文献】
【０００５】
【特許文献１】特開平１１−３４８１６９号公報
【０００６】
【特許文献２】特開２００９−１４４３７６号公報
【０００７】
【特許文献３】特開２０００−１５４６００号公報
【発明の概要】
【発明が解決しようとする課題】
【０００８】
しかし、上述したような従来の結露防止シートは、いずれも断熱空間を形成するためにシートや樹脂板等を複数枚重ねる構成であるから、光の透過率が低下しがちになり、窓ガラスからの採光性に劣り、また人目につく窓に貼り付ける場合に、見栄えがよくないという問題があった。
【０００９】
本発明は上記事情に鑑みてなされてものであって、従来の結露防止シートよりも採光性を高めることができる結露防止シートを提供することを目的とするものである。
【課題を解決するための手段】
【００１０】
上記課題を解決するためになされた本発明は、窓ガラスに貼着される結露防止シートであって、粘着層を有して前記窓ガラスに貼り付け可能なガラス側透光性シートと、このガラス側透光性シートの前記粘着層とは反対側の面に設けられた編組ネットと、この編組ネットに重ねられて前記ガラス側透光性シートとの間に前記編組ネットの網目毎に断熱空間を形成する室内側透光性シートとを備えるところに特徴を有する。
【００１１】
また、結露防止シートは、粘着層を有して前記窓ガラスに貼り付け可能な編組ネットと、この編組ネットに重ねられて前記窓ガラスとの間に前記編組ネットの網目毎に断熱空間を形成する室内側透光性シートとを備える構成としてもよい。
【００１２】
さらに前記編組ネットは、所定間隔を隔てて横方向に並ぶ縦糸および所定間隔を隔てて縦方向に並ぶ横糸を縦横に組み合わせて矩形の網目を構成する格子状ネットであり、前記横糸が複数の糸を組み合わせてなる紐状であり、前記縦糸が複数本の糸が非組み合わせ状態のまま前記編組ネットが構成されているようにしてもよい。
【発明の効果】
【００１３】
上述した本発明の結露防止シートによれば、断熱空間は編組ネットにより形成される構成であるから、従来のようにシート等によって断熱空間を形成する場合と比較して積層させるシート数を減らすことができ、ひいては透光性が改善される。また、網目を比較的大きく形成することにより、より透光性を高めることができる。さらに、編組ネットの糸として透光性のものを使用することによっても、より透光性を高めることができる。
【００１４】
さらに、編組ネットをガラス側透光性シートを介することなく直接窓ガラスに貼着する場合には、積層されるシート数がさらに減るので、より透光性をよくすることができる。
【００１５】
上記編組ネットが縦糸および横糸からなる格子状ネットとされており、横糸が複数の糸を組み合わせてなる紐状とされ、縦糸が複数本の糸が非組み合わせ状態とされている場合には、横糸の太さ（直径）分の断熱空間が形成される。従って、横糸の組み合わせ方や使用する糸の本数を調整することにより、所望の厚みを有する断熱空間を形成することができる。
【００１６】
また、横糸を複数の糸を組み合わせてなる紐状として、断熱空間を複数の横方向にのびる空間に分断する本発明の構成によれば、断熱空間内の空気のうち温かい空気が上昇したり、冷たい空気が下降しようとする空気の流れが横糸により遮られ、分断された各空間内での対流に制限されることとなる。従って、窓ガラス全体（結露防止シート全体）をほぼ均一な温度状態とすることができるという効果を奏する。
【図面の簡単な説明】
【００１７】
【図１】本発明の実施形態１の結露防止シートの平面図
【図２】同じく図１のＡ−Ａ断面図
【図３】本発明の実施形態２の結露防止シートの断面図
【発明を実施するための形態】
【００１８】
＜実施形態１＞
本発明の実施形態１を図１および図２によって説明する。
図１は本実施形態の結露防止シート１０の平面図、図２は図１のＡ−Ａ断面図である。この結露防止シート１０は窓ガラスの内側（室内側）に貼着されるものであって、図２に示すように、屋内側に位置する屋内側透光性シート１１と、窓側に位置するガラス側透光性シート１２と、屋内側透光性シート１１およびガラス側透光性シート１２の間に介在して両シート１１，１２間に断熱空間１６を形成する編組ネット１３とを具備している。屋内側透光性シート１１およびガラス側透光性シート１２はいずれも無色透明なＰＥＴ製であり、編組ネット１３は接着材１９により両シート１１，１２間に固着されている。
【００１９】
上記編組ネット１３は、合成樹脂製の透明な８本の細糸から構成されている。具体的には、細糸を２本ずつ撚ってなる４組の撚糸を図１中水平方向に一定の長さ（本実施形態では２ｃｍ）クロスロープ法で組み合わせた（以下横糸１５とする）後、そのうち２組をそれぞれ図１中互いに異なる垂直方向（上下方向）に分岐するとともに、同じく互いに異なる垂直方向から伸ばされた新たな２組の撚糸を水平方向に伸びる残りの２組の撚糸と併せて再び水平方向に一定の長さ組み合わせる構成を繰り返すことにより、全体として約２ｃｍ単位四方の格子状の編組ネット１３を形成している。なお本実施形態では、垂直方向に伸びる２組の撚糸（以下縦糸１４とする）は組み合わされることなく、横糸１５との間を単に架け渡す状態とされている。そして、この編組ネット１３が屋内側透光性シート１１およびガラス側透光性シート１２の間に挟まれるとともに、接着材１９により両シート１１，１２間に固着されることにより、両シート１１，１２間に、横糸１５の直径に相当する厚みを有する断熱空間１６が形成されている（図２参照）。
【００２０】
また、上記ガラス側透光性シート１２の外表面には例えばシリコン等の粘着層１７および剥離シート１８が積層されており、剥離シート１８を剥離して粘着層１７を露出させることにより、結露防止シート１０を窓ガラスに貼付可能としている。
【００２１】
上述した本実施形態の結露防止シート１０によれば、透明な屋内側透光性シート１１およびガラス側透光性シート１２の間に、透明な糸からなる編組ネット１３を挟む構成であるから、窓ガラスに貼着した場合でも従来のものと比較して透光性に優れる。
【００２２】
次に、上記結露防止シート１０を用いた実施例１〜５によって、結露防止効果がどの程度であるかを実験により確認した。
室内側透光性シート１１およびガラス側透光性シート１２の厚みがともに０．０５ｍｍ、断熱空間１６の厚み（横糸１５の直径）が１．５ｍｍ、粘着層１７の厚みが２５ミクロンである上記構成の結露防止シート１０を作製し、実験サンプルとしてこれを窓ガラスの内側（室内側）に貼着したもの（実施例２）、外側（室外側）に貼着したもの（実施例４）、両側に貼着したもの（実施例３）の３種類を用意した。また、断熱空間１６の厚みが異なる２種類（厚み１ｍｍおよび２ｍｍ）の結露防止シート１０を作製し、これらのものについては窓ガラスの内側（室内側）に貼着したサンプルのみを用意した（実施例１および実施例５）。さらに比較用として、結露防止シート１０を貼着していない窓ガラスも用意した（比較例）。
【００２３】
上記実施例１〜５および比較例の各サンプルに対し、室内の環境を室温２４度、湿度４０％ＲＨに固定したまま、室外の温度を５度〜−１０度と変化させて、室外温度が５度、０度、−３度、−５度、−１０度の点における窓ガラスの結露発生状況を目視により観察した。
実験結果を表１に示す。
【００２４】
【表１】
2012026146.tif 000003
【００２５】
上記実験結果からわかるように、本発明の結露防止シート１０を貼着した窓ガラスでは、室外温度や断熱空間の厚みによるものの、結露防止シート１０を使用しなかった比較例のものと比較して全体として結露し難い良好な結果が得られている。
【００２６】
より詳細には、結露防止シート１０を例えば室内側に貼着したサンプルのうち、断熱空間１６の厚みが１．５ｍｍ以上のもの（実施例２、５）では、室外温度が−３度でも部分的に結露するだけで、液だれ等は起こさない。また、窓ガラスの両面に貼着したサンプル（実施例３）では、室外温度が−３でも結露を起こさず、−１０度であっても、液だれを起こさない。
【００２７】
このように、断熱空間１６を編組ネット１３により形成する本発明の結露防止シート１０は、優れた結露防止効果を示す。
【００２８】
＜実施形態２＞
本実施形態の結露防止シート２０は、上記実施形態１で使用したガラス側透光性シート１２が省略された形態のものである。図３に示すように、結露防止シート２０は、無色透明なＰＥＴシート１１の一方の面に上記実施形態１と同様の編組ネット１３が接着材１９により固定されているとともに、この編組ネット１３の反対側の面に剥離シート１８が直接積層されている。なお、編組ネット１３のうち剥離シート１８に対向する部分にも接着材１９が塗布されているが、編組ネット１３の剥離シート１８に対する接着力は、屋内側透光性シート１１に対する接着力よりも小さくなるよう、接着材１９の量を予め調整してある。
【００２９】
本実施形態の結露防止シート２０は、剥離シート１８を剥離して露出された編組ネット１３を窓ガラスに押しつけることにより、編組ネット１３表面の粘着剤１９により窓ガラス表面に貼り付けられる。この場合も、編組ネット１３の厚さ分（横糸１５の直径分）の断熱空間１６が屋内側透光性シート１１と窓ガラスとの間に形成されるから、この断熱空間１６が断熱効果を発揮し、窓ガラスの結露を防止することができる。
【００３０】
このような本実施形態の結露防止シート２０は、上述した実施形態１の結露防止シート１０よりも積層されるシート数が少ないため、より透光性に優れる。
＜他の実施形態＞
【００３１】
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３２】
（１）上記実施形態では、８本の撚糸を組み合わせるクロスロープにより横糸を構成する例を示したが、撚りロープや編みロープ等としてもよい。
【００３３】
（２）上記実施形態で使用した編組ネット１３の糸の太さ、使用する糸の本数は上記実施形態のものに限らず、適宜変更することができる。糸の太さや本数を変更することにより、断熱空間１６の厚みを変更することができる。
【００３４】
（３）また、網目の大きさについても、適宜変更可能であることはもちろんである。
【００３５】
（４）上記実施形態では、編組ネット１３に合成樹脂製の糸を使用したが、材質はこれに限るものではない。さらに、編組ネット自体は開口率が大きいため透光性に優れるから、編組ネットを構成する糸を必ずしも透明のものを使用しなくても結露防止シート全体としての透光性を高くできる。また、透光性シートについても、材質はＰＥＴに限るものではなく、例えばレーヨン紙や和紙等を使用することができる。和紙はそれ自体が水分を吸水・発散することができるので、ＰＥＴ製のシート１１を使用する場合と比較して、より確実に結露を防止することができるという効果を奏する。
【００３６】
（５）さらに、編組ネット１３や透光性シート１１，１２の色についても無色透明に限るものではない。
【００３７】
（６）上記実施形態では、水平方向に伸びる撚糸を組み合わせ状態とするとともに、垂直方向に伸びる撚糸は非組み合わせ状態とする例を示したが、逆でもよいし、両方を組み合わせ状態、あるいは、両方を非組み合わせ状態としてもよい。さらに、斜め方向に伸びる編組ネットや、種々の模様を有する編組ネット等を使用することもできる。
【００３８】
（７）上記実施形態２では、編組ネット１３の屋内側透光性シート１１に対する接着と、剥離シート１８に対する接着で同じ接着剤１９を使用したが、接着力が異なる別の種類の接着剤を使用してもよい。
【００３９】
（８）上記実施形態２では、編組ネット１３のうち剥離シート１８に対向する部分全体に接着剤１９を塗布する構成としたが、例えば横糸１５だけに接着剤１９を塗布し、縦糸１４には塗布しない構成としてもよい。
【符号の説明】
【００４０】
１０、２０...結露防止シート
１１...屋内側透光性シート
１２...ガラス側透光性シート
１３...編組ネット
１４...縦糸
１５...横糸
１６...断熱空間
１７...粘着層
１８...剥離紙
１９...接着剤
【図１】
2012026146.tif 000004
【図２】
2012026146.tif 000005
【図３】
2012026146.tif 000006